(57)【特許請求の範囲】
【請求項１】
検知エリア内の照度を検知する照度センサ及び前記検知エリア内の人体から放射される熱線を検知する熱線センサによる各検知結果に基づいて照明負荷の動作制御をする複数の無線発信器と、前記複数の無線発信器と無線通信される無線受信器と、制御対象となる照明負荷を制御する制御端末器と、信号線を介して前記無線受信器及び前記制御端末器と接続されて制御データを送受信する伝送ユニットと、を備える照明制御システムにおいて、
前記複数の無線発信器には、動作制御する照明負荷のアドレス情報として、同一のアドレスが設定されており、
前記無線発信器は、
照明負荷の制御のため予め設定された設定照度値と、前記照度センサにより検出される周囲照度値との大小関係により、前記無線受信器に送信する制御情報の種類を変更する制御手段を備え、
前記無線発信器の制御手段は、前記設定照度値が前記周囲照度値以上で、且つ前記熱線センサで人検知された場合、前記制御情報として、前記アドレスの照明負荷をＯＮ制御するためのＯＮ制御要求を前記無線受信器に送信するよう制御し、
前記無線受信器は、
前記ＯＮ制御要求を受信した場合において、前記アドレスの照明負荷をＯＮ制御するための制御データを前記伝送ユニットに送信する処理手段を備え、
前記無線発信器の制御手段は、前記設定照度値が前記周囲照度値未満で、且つ前記熱線センサで人検知された場合、前記制御情報として、前記検知エリア内に人がいることを通知するための人検知通知を前記無線受信器に送信するよう制御し、
前記無線受信器の処理手段は、前記人検知通知を受信した場合には、前記アドレスの照明負荷をＯＮ制御するための制御データを前記伝送ユニットに送信しない、ことを特徴とする照明制御システム。
【請求項２】
前記無線発信器は、
前記ＯＮ制御要求及び前記人検知通知を送信してからの所定の動作保持時間を計測するタイマ部をさらに備え、
前記制御手段は、前記タイマ部での計測に基づいて、前記ＯＮ制御要求及び前記人検知通知を送信してからの動作保持時間経過後に、前記アドレスの照明負荷をＯＦＦ制御するためのＯＦＦ制御要求を前記無線受信器に送信するよう制御し、
前記無線受信器の処理手段は、受信した前記ＯＮ制御要求及び前記人検知通知に対応する全ての前記ＯＦＦ制御要求を受信した場合、前記アドレスの照明負荷をＯＦＦ制御するための制御データを前記伝送ユニットに送信する、ことを特徴とする請求項１に記載の照明制御システム。
【請求項３】
前記無線発信器は、内部状態として、前記ＯＮ制御要求を送信してから前記動作保持時間を経過するまでの期間をＯＮ状態、前記人検知通知を送信してから前記動作保持時間を経過するまでの期間を仮のＯＮ状態、及びこれら以外の状態をＯＦＦ状態として保持し、
前記制御手段は、前記ＯＮ状態では前記ＯＮ制御要求を前記無線受信器に送信せず、前記仮のＯＮ状態では前記人検知通知を前記無線受信器に送信しないよう制御する、ことを特徴とする請求項２に記載の照明制御システム。
【請求項４】
前記無線発信器の制御手段は、前記仮のＯＮ状態において、前記設定照度値が前記周囲照度値以上になった場合、前記ＯＮ制御要求を前記無線受信器に送信するよう制御する、ことを特徴とする請求項３記載の照明制御システム。
【発明の詳細な説明】
【技術分野】
【０００１】
本発明は、熱線センサ及び照度センサを備える複数の無線発信器、及びこれら複数の無線発信器と無線接続された無線受信器を用いて照明器具を制御する照明制御システムに関する。
【背景技術】
【０００２】
従来より、住宅やビルディング内において、明るさセンサや人感センサといったセンサ類と連携して複数の照明器具のＯＮ／ＯＦＦや調光状態を個別に、又は一括して制御する照明制御システムが導入されている。この照明制御システムでは、外光の明るさや人の存在に応じて照明器具のＯＮ／ＯＦＦを適切に制御できるため省エネルギー化を図ることができる。
【０００３】
例えば、図９に示す照明制御システムは、熱線センサ及び照度センサを有する無線発信器１０１ａ，１０１ｂと、無線発信器１０１ａ，１０１ｂと無線通信で接続された無線受信器１０２と、伝送ユニット１０３と、リレー制御用端末器１０４とを備える。伝送ユニット１０３は、２線式の信号線Ｌｓを介して無線受信器１０２及びリレー制御用端末器１０４と接続され、無線受信器１０２を介して無線発信器１０１ａ，１０１ｂにおいて発生した照明器具１０５の制御情報を受信して動作制御を行う。
【０００４】
次に、本図に示す照明制御システムの動作に関して説明する。最初に、無線発信器１０１ａは、照度センサが検出した周囲照度値が所定の設定照度値以下の状態で、熱線センサからの入力が閾値を超えて人検知された場合、所定アドレスの照明器具をＯＮ制御するためのＯＮ制御要求を無線受信器１０２に送信する（Ｓ１１０）。
【０００５】
次に、ＯＮ制御要求を受信した無線受信器１０２は、制御データであるＯＮ通知を伝送ユニット１０３に送信する（Ｓ１１１）。そして、伝送ユニット１０３は、制御対象となる照明器具１０５と対応するリレー制御用端末器１０４に対して、照明器具１０５のアドレス情報と、ＯＮ制御状態とを含む制御指令信号を送信する（Ｓ１１２）。そして、リレー制御用端末器１０４が照明器具１０５をＯＮ制御し、照明器具１０５のＯＮ制御が完了したことを示すＡＣＫを伝送ユニット１０３に通知する（Ｓ１１３）。また、伝送ユニット１０３は、無線受信器１０２に照明器具１０５のＯＮ制御が完了したことを通知する（Ｓ１１４）。
【０００６】
また、無線発信器１０１ａは、ＯＮ制御要求を送信してから動作保持時間が満了すると照明器具１０５をＯＦＦ制御するためのＯＦＦ制御要求を無線受信器１０２に送信する（Ｓ１１５）。ＯＦＦ制御要求を受信した無線受信器１０２は、制御データであるＯＦＦ通知を伝送ユニット１０３に送信する（Ｓ１１６）。そして、伝送ユニット１０３は、制御対象となる照明器具１０５と対応するリレー制御用端末器１０４に対して、照明器具１０５のアドレス情報と、ＯＦＦ制御状態とを含む制御指令信号を送信する（Ｓ１１７）。次に、リレー制御用端末器１０４が照明器具１０５をＯＦＦ制御し、このＯＦＦ制御が完了したことを示すＡＣＫを伝送ユニット１０３に通知する（Ｓ１１８）。また、伝送ユニット１０３は、受信器１０２に照明器具１０５のＯＦＦ制御が完了したことを通知する（Ｓ１１９）。
【０００７】
ところで、２線式リモコンで照明器具を制御する遠隔監視制御システムとして、検知エリア内の人の存否に応じた所望の制御が簡単な構成で行うことができる遠隔監視制御システムが開示されている（例えば、特許文献１参照）。
【先行技術文献】
【特許文献】
【０００８】
【特許文献１】特開２０００−３４１７６８号公報
【発明の概要】
【発明が解決しようとする課題】
【０００９】
しかしながら、上記従来の照明制御システムにおいて、複数の無線発信器１０１ａ，１０１ｂには、動作制御する対象の照明負荷のアドレス情報として、同一のアドレスが設定されることがある。この場合、複数の無線発信器１０１ａ，１０１ｂは、近接して配置されるなど互いが制御する照明器具の照度の影響を受ける。
【００１０】
すなわち、図９に示すように、無線発信器１０１ｂで人検知した時点においては、無線発信器１０１ａからのＯＮ制御要求（Ｓ１１０）がなされているので照明器具１０５が既に点灯し、無線発信器１０１ｂの検知エリアが明るくなっている。このため、無線発信器１０１ｂの照度センサが検出する周囲照度値は、予め設定された設定照度値よりも高くなり、無線発信器１０１ｂにおいて人検知された場合でも、照明器具１０５に対するＯＮ制御要求が無線受信器１０２に送信されない（Ｓ１２０）。
【００１１】
この場合、無線発信器１０１ａの動作保持時間満了後にＯＦＦ制御要求が送信された時点（Ｓ１１５）で照明器具１０５が消灯制御されるため、無線発信器１０１ｂの検知エリアに人が居ても照明器具１０５が消灯してしまうという問題がある。
【００１２】
本発明は、上記課題に鑑みてなされたものであり、熱線センサ及び照度センサを有する無線発信器の検知エリア内に人がいる場合に、照明器具が誤って消灯されることを防止した照明制御システムを提供することを目的とする。
【課題を解決するための手段】
【００１３】
上記目的を達成するために本発明は、検知エリア内の照度を検知する照度センサ及び前記検知エリア内の人体から放射される熱線を検知する熱線センサによる各検知結果に基づいて照明負荷の動作制御をする複数の無線発信器と、前記複数の無線発信器と無線通信される無線受信器と、制御対象となる照明負荷を制御する制御端末器と、信号線を介して前記無線受信器及び前記制御端末器と接続されて制御データを送受信する伝送ユニットと、を備える照明制御システムにおいて、前記複数の無線発信器には、動作制御する照明負荷のアドレス情報として、同一のアドレスが設定されており、前記無線発信器は、照明負荷の制御のため予め設定された設定照度値と、前記照度センサにより検出される周囲照度値との大小関係により、前記無線受信器に送信する制御情報の種類を変更する制御手段を備え、前記無線発信器の制御手段は、前記設定照度値が前記周囲照度値以上で、且つ前記熱線センサで人検知された場合、前記制御情報として、前記アドレスの照明負荷をＯＮ制御するためのＯＮ制御要求を前記無線受信器に送信するよう制御し、前記無線受信器は、前記ＯＮ制御要求を受信した場合において、前記アドレスの照明負荷をＯＮ制御するための制御データを前記伝送ユニットに送信する処理手段を備え、前記無線発信器の制御手段は、前記設定照度値が前記周囲照度値未満で、且つ前記熱線センサで人検知された場合、前記制御情報として、前記検知エリア内に人がいることを通知するための人検知通知を前記無線受信器に送信するよう制御し、前記無線受信器の処理手段は、前記人検知通知を受信した場合には、前記アドレスの照明負荷をＯＮ制御するための制御データを前記伝送ユニットに送信しない、ことを特徴とする。
【００１６】
この照明制御システムにおいて、前記無線発信器は、前記ＯＮ制御要求及び前記人検知通知を送信してからの所定の動作保持時間を計測するタイマ部をさらに備え  前記制御手段は、前記タイマ部での計測に基づいて、前記ＯＮ制御要求及び前記人検知通知を送信してからの動作保持時間経過後に、前記アドレスの照明負荷をＯＦＦ制御するためのＯＦＦ制御要求を前記無線受信器に送信するよう制御し、前記無線受信器の処理手段は、受信した前記ＯＮ制御要求及び前記人検知通知に対応する全ての前記ＯＦＦ制御要求を受信した場合、前記アドレスの照明負荷をＯＦＦ制御するための制御データを前記伝送ユニットに送信することが好ましい。
【００１７】
この照明制御システムにおいて、前記無線発信器は、内部状態として、前記ＯＮ制御要求を送信してから前記動作保持時間を経過するまでの期間をＯＮ状態、前記人検知通知を送信してから前記動作保持時間を経過するまでの期間を仮のＯＮ状態、及びこれら以外の状態をＯＦＦ状態として保持し、前記制御手段は、前記ＯＮ状態では前記ＯＮ制御要求を前記無線受信器に送信せず、前記仮のＯＮ状態では前記人検知通知を前記無線受信器に送信しないよう制御することが好ましい。
【００１８】
この照明制御システムにおいて、前記無線発信器の制御手段は、前記仮のＯＮ状態において、前記設定照度値が前記周囲照度値以上になった場合、前記ＯＮ制御要求を前記無線受信器に送信するよう制御することが好ましい。
【発明の効果】
【００１９】
本発明に係る照明制御システムによれば、照明器具用の同一アドレスが設定された複数の無線発信器において、予め設定された設定照度値と照度センサで検出される周囲照度値との大小関係により、無線受信器に送信する制御情報を変更する。この結果、無線受信器は受信した制御情報に基づいて、必ずＯＦＦ制御要求を送るトリガとなる「ＡＮＤ  ＯＦＦ」成立を認識でき、無線発信器の検知エリア内に人がいる場合における照明器具の誤消灯を防止できる。
【図面の簡単な説明】
【００２０】
【図１】本発明の実施の形態１に係る照明制御システムのシステム構成図である。
【図２】同上照明制御システムに備わる無線発信器の機能ブロック図である。
【図３】同上照明制御システムに備わる無線受信器の機能ブロック図である。
【図４】同上照明制御システムのシーケンス図である。
【図５】（ａ）同上無線受信器の成立状態を示すテーブル、（ｂ）同上無線発信器に保持される内部状態を示すテーブルである。
【図６】実施の形態２に係る照明制御システムのシーケンス図である。
【図７】同上照明制御システムに備わる無線発信器の動作手順を示すフローチャートである。
【図８】同上照明制御システムに備わる無線受信器の動作手順を示すフローチャートである。
【図９】従来の照明制御システムのシーケンス図である。
【発明を実施するための形態】
【００２１】
本発明の実施の形態に係る照明制御システムについて図面を参照して説明する。
【００２２】
（実施の形態１）
図１は、本実施の形態１に係る照明制御システム１の構成を示す。この照明制御システム１は、伝送ユニット２と、リレー制御用端末器３と、リモコンリレー４と、リモコントランス５と、リモコンスイッチ６と、無線受信器７と、無線発信器８ａ，８ｂ（総称して、８）と、照明器具９とを備えている。
【００２３】
リレー制御用端末器３、リモコンスイッチ６、及び無線受信器７は、２線式の信号線を介して伝送ユニット２と相互に接続されており、伝送ユニット２との情報のやり取りは、信号線に多重伝送方式で伝送される伝送信号を通して行われる。この照明制御システム１では、無線受信器７と無線発信器８との間で無線通信を行い、照明器具９のオン／オフ状態や室内の照度を自動制御する。
【００２４】
伝送ユニット２は、リモコンスイッチ６や無線受信器７からの伝送信号に基づいて、伝送信号に含まれるアドレス情報から制御対象となる照明器具９を特定すると共に、照明器具９に対する制御状態を特定する。そして、伝送ユニット２は、制御対象となる照明器具９と対応するリレー制御用端末器３に対して、照明器具９のアドレス情報と、その制御状態（ＯＮ、ＯＦＦや調光レベルなど）とを制御指令信号として送信する。
【００２５】
照明制御システム１内に存在する照明器具９は、負荷アドレスによって一意に特定することができる。具体的には、リレー制御用端末器３には、負荷チャネル（Ｃｈ）と呼ばれる固有の識別子が割り当てられており、リレー制御用端末器３に接続するリモコンリレー４には、負荷ナンバー（Ｎｍ）を呼ばれる固有の識別子が割り当てられている。負荷チャネル（Ｃｈ）と、負荷ナンバー（Ｎｍ）とを組み合わせることにより、負荷アドレス（Ｃｈ−Ｎｍ）が構成される。
【００２６】
リレー制御用端末器３は、リレーの制御状態に応じて照明器具９の状態を制御する負荷制御端末器としての機能を担っている。リレー制御用端末器３は、伝送ユニット２からの伝送信号に基づいて、自己に接続するリモコンリレー４のうち、制御対象となる照明器具９に対応するリモコンリレー４に対して制御信号を送ることにより、リモコンリレー４の状態を制御する。リモコンリレー４の個々のリレーは、リレー制御用端末器３に制御されて、ブレーカ電源（ＡＣ１００又は２００Ｖ）１０などからの商用交流をオン／オフすることで、照明器具９をオン状態またはオフ状態にする。
【００２７】
リモコントランス５は、リレー制御用端末器３、及びリモコンリレー４に駆動用の電力を供給する。
【００２８】
リモコンスイッチ６は、照明器具９を制御するための制御指令を出力するための入力端末器としての機能を担っている。具体的には、リモコンスイッチ６は、例えば室内などの任意の壁面に設置されており、照明器具９を利用するユーザによってプッシュ操作が可能な端末器である。リモコンスイッチ６は、操作スイッチのいずれかが操作されるのに応じて、その操作スイッチに関連付けられているアドレス情報と、操作スイッチの操作状態とを制御指令として伝送ユニット２に送信する。
【００２９】
無線受信器７は、天井面に埋め込まれ、無線発信器８とワイヤレスで制御情報の送受信を行うと共に、２線式の信号線と接続して伝送ユニット２と制御データの送受信を行う。この無線受信器７には、例えば電波式ワイヤレスアドレス設定器を用いて、アドレスやエリアナンバーが設定される。
【００３０】
無線発信器８ａ，８ｂは、レイアウトフリーに壁面に設置され、検知エリア周辺の照度を検知する照度センサ、及び検知エリア内の人体から放射される熱線を検知する熱線センサを備える。また、無線発信器８ａ，８ｂの背面側には、ユーザ操作されるアドレス設定選択つまみ、動作保持時間設定用つまみなどが設けられている。
【００３１】
なお、無線発信器８ａ，８ｂには、動作制御する照明器具９のアドレス情報として、同一のアドレスが設定され、近くに配置されるなど複数の無線発信器８ａ，８ｂに備わる照度センサが互いに制御対象となる照明器具９の照度の影響を受ける場合を想定する。
【００３２】
熱線センサは、人体から放射される熱線を検出して検知エリア内の人の存否に応じて出力する人体検出信号を監視する。無線発信器８は、検知エリア内の人の動きが検出されたときに照明器具９を自動でのＯＮ／ＯＦＦ制御や自動調光させるためのアドレス情報や制御情報を無線受信器７に送信可能とする。また、無線発信器８は、熱線センサによって検知エリア内で人検出されてから所定の動作保持時間経過後に照明器具９を消灯するためのＯＦＦ制御要求を無線受信器７に送信する。
【００３３】
照度センサは、検知エリアの明るさを検知（照度検知範囲５〜１０００ルクス等）する。無線発信器８は、照度センサにより検知された照度に基づいて照明器具９を制御するための制御情報を無線受信器７に送信可能とする。この照度センサを用いた照明制御により、日没後は点灯するなど外光にあわせて平均照度を一定に保って調光でき、照明環境の快適性を保ちながら省エネを図ることができる。また、無線発信器８が熱線センサに加えて照度センサをも備えることで、暗くなり且つ人がいる時だけの点灯制御などが可能となる。
【００３４】
無線発信器８ａ，８ｂには、例えば電波式ワイヤレスアドレス設定器を用いて、制御対象となる照明器具９のアドレス情報として、同一の個別アドレス、同一のパターンアドレスや同一のグループアドレスなどが設定される。なお、個別アドレスは、個別制御の対象となる照明器具９を特定するための情報であり、負荷アドレス（個別「０−１」など）に該当する。グループアドレスは、複数の照明器具９を同一の制御状態へと一括的に制御するためグループ制御の対象となるグループを特定するための情報であり、予め設定された個々のグループに付与された番号（「Ｇ−１」など）がこれに該当する。パターンアドレスは、複数の照明器具９を、それぞれの照明器具９に予め定められた所定の制御状態へと一括的に制御するパターンを特定するための情報であり、予め設定された個々のパターンに付与された番号（「Ｐ−１」など）である。
【００３５】
次に、本照明制御システム１に備わる無線発信器８の機能構成に関して図２を参照して説明する。無線発信器８は、ＣＰＵ（制御手段）８０、電源部８１、ブザー８２、サブクロック部８３、熱線検知部８４、ＬＥＤ表示部８５、アドレス切替部８６、無線送受信部８７、照度測定部８８、明るさ設定部８９、動作保持時間設定部９０、及びアドレス登録設定部９１、及びを備える。
【００３６】
電源部８１は、特定小電力無線に対応し、専用のリチウムイオン二次電池から内部の電源を供給する。ブザー８２は、確認音や警告音を発音し、サブクロック部８３は、水晶振動子によりＣＰＵ８０の動作周波数を発生させる。
【００３７】
熱線検知部８４は、熱線の変化を検知する焦電素子のような熱線センサを具備し、熱線センサの出力を増幅してＣＰＵ８０に出力する。ＣＰＵ８０は、熱線検知部８４の出力と、保持された所定の閾値との高低を比較することによって、検知エリア内の人の存否を判定している。
【００３８】
ＬＥＤ表示部８５は、熱線センサにおいて人を検知した際やアドレス設定時、電源不足時などにおいて点滅や発光する。無線発信器８は、操作入力部９３によってユーザ入力された設定項目（例えば設定照度値、動作保持時間やアドレスデータ）の値や、後述する無線発信器８の現在の内部状態であるＯＮ状態、ＯＦＦ状態、又は擬似ＯＮ状態の別を保持する。無線送受信部８７は、専用のＡＳＩＣがアンテナに接続されて構成され、無線受信器７との間で、ワイヤレスで制御情報の送受信を実現する。
【００３９】
照度測定部８８は、周囲の明るさを検出するＣｄＳ、フォトダイオード、フォトトランジスタのような照度センサを有し、照度センサの出力を増幅してＣＰＵ８０に出力する。ＣＰＵ８０では、照度測定部８８の出力と、保持された所定の明るさレベル（設定レベル）との明暗を比較する。
【００４０】
無線発信器８の背面に設けられたツマミ部である操作入力部９３には、明るさ設定部８９、動作保持時間設定部９０、及びアドレス登録設定部９１が備えられる。明るさ設定部８９は、照明器具９の制御のための照度設定値を変更するための切替スイッチである。動作保持時間設定部９０は、照明器具９の点灯を保持する時間を変更するための切替スイッチであり、３０秒、３分、１０分などから動作保持時間を選択する。アドレス登録設定部９１は、別体の電波式アドレス設定器とデータを送受信して電波信号を受信する。アドレス切替部８６は、番号１〜１６などの内からアドレスを選択するツマミ部である。
【００４１】
タイマ部８０ａは、ＣＰＵ８０に備わり、クロックを数えることで一定時間の経過を知るタイマ機能を有し、操作入力部９３で入力された無線発信器８の動作保持時間の検出時にＣＵＰ８０に対して割り込みを発生させる。
【００４２】
次に、本照明制御システム１に備わる無線受信器７の機能構成に関して図３を参照して説明する。無線受信器７は、ＣＰＵ（処理手段）７０ａ，７０ｂ、無線送受信部７１ａ，７１ｂ、スイッチ７２、多重伝送信号送受信部７３、電源部７４、ＬＥＤ表示部７５、及びメモリ部７６を備える。
【００４３】
無線送受信部７１ａ，７１ｂは、専用のＡＳＩＣがアンテナに接続されて構成され、複数の無線発信器８ａ，８ｂとの経路切り替えなどを行うスイッチ７２を介して無線発信器８との間で制御情報の送受信を実現する。無線送受信部７１ａ、７１ｂは、無線発信器８から制御信号を受信すると、ＣＰＵ７０ａ，７０ｂに検知信号を出力する。
【００４４】
伝送通信部たる多重伝送信号送受信部７３は、一対の端子Ｔ１，Ｔ１に接続された信号線Ｌｓを介して、伝送ユニット２との間で多重伝送方式により伝送信号の送受信を行う。また、多重伝送信号送受信部７３は、信号線Ｌｓを介して入力された伝送信号を信号変換してＣＰＵ７０ａ，７０ｂに出力し、ＣＰＵ７０ａ，７０ｂから出力された信号を伝送信号に変換して信号線Ｌｓに送出する。
【００４５】
電源部７４は、信号線Ｌｓを介して入力される伝送信号を全波整流器で全波整流し、さらに定電圧部で定電圧化することによって、内部の電源を得ている。
【００４６】
ＣＰＵ７０ａ，７０ｂでは、多重伝送信号送受信部７３を介して受信した伝送信号に含まれるアドレスデータがメモリ部７６に格納されたアドレスデータに一致すると、伝送信号の制御データを受け取り、制御データに応じた動作をする。
【００４７】
ＬＥＤ表示部７５は、アドレス設定時などにおいて点滅や発光する。メモリ部７６は、不揮発性メモリであり、設定項目（例えばエリアナンバーやアドレス）の値や無線受信器７の現在状態を記憶する。
【００４８】
次に、本照明制御システム１の動作手順に関して図４を参照して説明する。最初に、無線発信器８ａは、設定照度値が照度センサにおいて実際に検出した周囲照度値以上であり、且つ熱線センサからの入力が閾値を超えて人検知された場合、所定アドレスの照明器具９をＯＮ制御するＯＮ制御要求を無線受信器７に送信する（Ｓ４１）。
【００４９】
次に、無線受信器７は、Ｓ５１のＯＮ制御要求を受信した時点で無線発信器８ａ，８ｂのいずれか１つからＯＮ制御要求を受信した「ＯＲ  ＯＮ」が成立するため、制御データとしてＯＮ通知を伝送ユニット２に送信する（Ｓ４２）。
【００５０】
ここで、無線受信器７において管理している成立状態に関して図５（ａ）を参照して説明する。無線受信器７は、テーブル１０に示すように、照明器具９の消灯時において複数の無線発信器８ａ，８ｂのいずれか１つからＯＮ制御要求を受信した時点を「ＯＲ  ＯＮ」成立と認識し、この「ＯＲ  ＯＮ」が伝送ユニット２にＯＮ通知を行うトリガとなる。また、無線受信器７は、複数の無線発信器８から受信したＯＮ制御要求及び人検知通知に対応する全てのＯＦＦ制御要求を受信した動作状態を「ＡＮＤ  ＯＦＦ」成立と認識し、この「ＡＮＤ  ＯＦＦ」が伝送ユニット２にＯＦＦ通知を行うトリガとなる。
【００５１】
次に、伝送ユニット２は、制御対象となる照明器具９と対応するリレー制御用端末器３に対して、照明器具９のアドレス情報と、ＯＮ制御状態とを制御指令信号として送信する（Ｓ４３）。そして、リレー制御用端末器３が照明器具９をＯＮ制御し、ＯＮ制御を完了したことを示すＡＣＫを伝送ユニット２に返信し（Ｓ４４）、また、伝送ユニット２から無線受信器７に照明器具９のＯＮ制御が完了したことが通知される（Ｓ４５）。
【００５２】
一方、無線発信器８ｂは、既にＳ５３の時点で照明器具９がＯＮ制御されて検知エリアが明るくなっているため、設定照度値が実際に検出した周囲照度値以下で、且つ熱線センサが人検知した場合において人検知通知を無線受信器７に送信する（Ｓ４６）。
【００５３】
次に、無線発信器８ａは、Ｓ５１でＯＮ制御要求を送信してから動作保持時間が満了するとＯＦＦ制御要求を無線受信器７に送信する（Ｓ４７）。また、無線発信器８ｂは、Ｓ５６で人検知通知を送信してから動作保持時間が満了するとＯＦＦ制御要求を無線受信器７に送信する（Ｓ４８）。無線受信器７は、Ｓ４８のＯＦＦ制御要求を受信した時点で、無線発信器８ａ，８ｂから受信したＯＮ制御要求及び人検知通知に対応する全てのＯＦＦ制御要求を受信した「ＡＮＤ  ＯＦＦ」が成立するため、ＯＦＦ通知を伝送ユニット２に送信する（Ｓ４９）。
【００５４】
そして、伝送ユニット２は、制御対象となる照明器具９と対応するリレー制御用端末器３に対して、照明器具９のアドレス情報と、ＯＦＦ制御状態とを制御指令信号として送信する（Ｓ５０）。そして、リレー制御用端末器３が照明器具９をＯＦＦ制御し、ＯＦＦ制御を完了したことを示すＡＣＫを伝送ユニット２に返信し（Ｓ５１）、また、伝送ユニット２から無線受信器７に照明器具９のＯＦＦ制御が完了したことが通知される（Ｓ５２）。
【００５５】
次に、無線発信器８に保持される内部状態に関して図５（ｂ）を参照して説明する。無線発信器８は、テーブル１１に示すように、現在の内部状態として、ＯＮ制御要求を送信してから動作保持時間満了（ＯＦＦ制御要求送信）までの期間をＯＮ状態、人検知通知を送信してから動作保持時間満了（ＯＦＦ制御要求送信）までの期間を擬似ＯＮ状態（仮りのＯＮ状態）、又はこれら以外の期間をＯＦＦ状態として保持する。そして、無線発信器８は、ＯＮ状態中にはＯＮ制御要求を無線受信器７に再度送信できず、擬似ＯＮ状態中には人検知通知を無線受信器７に再度送信できない。また、ＯＮ状態では照明器具９はＯＮ制御、擬似ＯＮ状態では照明器具９はＯＮ制御又はＯＦＦ制御、ＯＦＦ状態では照明器具９はＯＦＦ制御となっている。
【００５６】
以上の説明のように、本実施の形態１に係る照明制御システム１において、無線発信器８ａ，８ｂは、予め設定された照度センサの設定照度値、及び照度センサにより検出された周囲照度値の大小関係により、無線受信器７に送信する制御情報の種類を変更する。すなわち、無線発信器８は、「周囲照度≦設定照度」を満たし、且つ熱線センサで人検知された場合にはＯＮ制御要求を無線受信器７に送信し、「周囲照度＞設定照度」を満たし、且つ熱線センサで人検知された場合には人検知通知を無線受信器７に送信する。
【００５７】
この結果、無線受信器７は、受信したＯＮ制御要求及び人検知通知に基づいて必ず「ＡＮＤ  ＯＦＦ」の成立を認識でき、無線発信器８ａ，８ｂの検知エリアに人が居る時に照明器具９が自動消灯されるという事態を確実に防止できる。
【００５８】
（実施の形態２）
以下、本発明に係る照明制御システムの実施の形態２に関して図６乃至図８を参照して説明する。上記実施の形態１に係る照明制御システム１と同様の構成には同符号を付し、その詳細な説明は省略する。
【００５９】
本実施の形態２に係る照明制御システム１の動作手順に関して図６を参照して説明する。なお、Ｓ４１〜Ｓ４６までの動作手順は上記実施の形態１の図４と同様であるため、その説明を省略する。本実施の形態２では、Ｓ４６の人検知通知の送信の後に、無線発信器８ｂの検知エリアの明るさが何らかの理由により暗くなり、周囲照度値が設定照度値以下になることがある。この場合、無線発信器８ｂは、動作状態が擬似ＯＮ状態であるため、ＯＮ制御要求を無線受信器７に送信する（Ｓ２１）。
【００６０】
そして、無線発信器８ａは、Ｓ５１でＯＮ制御要求を送信してから動作保持時間が満了すると「ＯＦＦ制御要求」を無線受信器１０２に送信する（Ｓ５７）。また、無線発信器８ｂは、Ｓ５６で人検知通知を送信してから動作保持時間が満了するとＯＦＦ制御要求（Ｓ５８）を送信し、Ｓ２０でＯＮ制御要求を送信してから動作保持時間が満了するとＯＦＦ制御要求を無線受信器１０２に送信する（Ｓ２２）。
【００６１】
この場合、無線受信器７は、Ｓ２２のＯＦＦ制御要求を受信した時点で、無線発信器８ａ，８ｂから受信したＯＮ制御要求及び人検知通知に対応する全てのＯＦＦ制御要求を受信した「ＡＮＤ  ＯＦＦ」となり、ＯＦＦ通知を伝送ユニット２に送信する（Ｓ４９）。なお、Ｓ５０〜Ｓ５２の動作手順は上記実施の形態１の図５と同様である。
【００６２】
次に、本実施の形態２に係る無線発信器８の動作手順に関して図７を参照して説明する。最初に、無線発信器８のＣＰＵ８０は、ＯＦＦ状態であり、且つ熱線センサからの入力が閾値を超えて人検知されたか否かを確認する（Ｓ３１）。そして、人検知された場合には（Ｓ３１でＹｅｓ）、ＣＰＵ８０は、設定照度値が周囲照度値以上となるかを確認する（Ｓ３２）。また、ＣＰＵ８０は、設定照度値が周囲照度値以上となる場合（Ｓ３２でＹｅｓ）、ＯＮ制御要求を、無線送受信部８７を介して無線受信器７に送信すると共に、内部状態をＯＮ状態に変更する（Ｓ３３）。また、ＣＰＵ８０は、タイマ部８０ａにおいて動作保持時間満了が計測されれば（Ｓ３４でＹｅｓ）、無線受信器７にＯＦＦ制御要求を送信し、内部状態をＯＦＦ状態に変更する（Ｓ３５）。
【００６３】
一方、ＣＰＵ８０は、設定照度値が周囲照度値未満の場合には（Ｓ３２でＮｏ）、無線送受信部８７を介して人検知通知を無線受信器７に送信すると共に、内部状態を擬似ＯＮ状態に変更する（Ｓ３６）。また、ＣＰＵ８０は、設定照度値が周囲照度値以上となるか否かを確認（Ｓ３７）、すなわち周囲照度が暗くなったかを確認する。そして、暗くならない場合（Ｓ３７でＮｏ）、ＣＰＵ８０は、タイマ部８０ａにおいて動作保持時間満了となると（Ｓ３８でＹｅｓ）、無線受信器７にＯＦＦ制御要求を送信し、内部状態をＯＦＦ状態に変更する（Ｓ３５）。
【００６４】
また、ＣＰＵ８０は、暗くなる場合（Ｓ３７でＹｅｓ）、無線送受信部８７を介してＯＮ制御要求を無線受信器７に送信して内部状態をＯＮ状態に変更する（Ｓ３９）。そして、タイマ部８０ａにおいて計測される動作保持時間が満了となると（Ｓ４０でＹｅｓ）、無線受信器７にＯＦＦ制御要求を送信し、内部状態をＯＦＦ状態に変更する（Ｓ３５）。
【００６５】
次に、本実施の形態２に係る無線受信器７の動作に関して図８を参照して説明する。最初に、無線受信器７のＣＰＵ７０は、照明器具９の消灯時に、無線発信器８ａ，８ｂの少なくとも一方からＯＮ制御要求を受信したか否かを確認し（Ｓ９１）、「ＯＲ  ＯＮ」が成立する場合（Ｓ９１でＹｅｓ）、伝送ユニット２にＯＮ通知を送信する（Ｓ９２）。
【００６６】
次に、ＣＰＵ７０は、人検知通知を受信した場合には（Ｓ９３でＹｅｓ）、無線発信器８ａ，８ｂから受信したＯＮ制御要求及び人検知通知に対応する全てのＯＦＦ制御要求を受信した「ＡＮＤ  ＯＦＦ」となるか否かを確認する（Ｓ９４）。そして、ＣＰＵ７０は、「ＡＮＤ  ＯＦＦ」が成立する場合には（Ｓ９４でＹｅｓ）、ＯＦＦ通知を伝送ユニット２に送信する（Ｓ９５）。
【００６７】
一方、ＣＰＵ７０は、人検知通知を受信しない場合には（Ｓ９３でＮｏ）、無線発信器８ａ，８ｂから受信したＯＮ制御要求に対応する全てのＯＦＦ制御要求を受信した「ＡＮＤ  ＯＦＦ」となるか否かを確認する（Ｓ９６）。そして、ＣＰＵ７０は、「ＡＮＤ  ＯＦＦ」が成立する場合には（Ｓ９６でＹｅｓ）、ＯＦＦ通知を伝送ユニット２に送信し（Ｓ９５）、一連の処理を終了する。
【００６８】
以上の説明のように、本実施の形態２に係る照明制御システム１では、上記実施の形態１の効果に加えて、無線発信器８ｂは、人検知通知を受信した後、動作保持時間中において、周囲照度の変化に応じてＯＮ制御要求を無線受信器７に送信する。従って、より正確な照明器具９のＯＮ／ＯＦＦ制御を実現できる。
【００６９】
なお、本発明は、上記各実施の形態の構成に限られず、発明の趣旨を変更しない範囲で種々の変形が可能である。例えば、無線発信器は２つに限定されるものではなく３つ以上でも同様の照明制御を実現できる。また、無線発信器から送信されるＯＦＦ制御要求は、ＯＮ制御要求や人検知通知を送信してから所定の動作保持時間の経過後に限定されるものではなく、ＯＮ制御要求や人検知通知を送信後、熱線センサが人検知しなくなってから所定期間経過後としても構わない。
【符号の説明】
【００７０】
１  照明制御システム
２  伝送ユニット
３  リレー制御用端末器（制御端末器）
４  リモコンリレー
５  リモコントランス
６  リモコンスイッチ
７  無線受信器
７０  ＣＰＵ（処理手段）
７１ａ，７１ｂ  無線送受信部
８，８ａ，８ｂ  無線発信器
８０  ＣＰＵ（制御手段）
８０ａ  タイマ部
８７  無線送受信部
９  照明器具
【図１】
0005994170.tif 000002
【図２】
0005994170.tif 000003
【図３】
0005994170.tif 000004
【図４】
0005994170.tif 000005
【図５】
0005994170.tif 000006
【図６】
0005994170.tif 000007
【図７】
0005994170.tif 000008
【図８】
0005994170.tif 000009
【図９】
0005994170.tif 000010